(57)【要約】      （修正有）【課題】ゴルフプレー等で使用する傘にあって、強度的な安定度が高く、違和感なく開閉可能な構造を有したタオル吊り掛け構造を提供する。【解決手段】受骨１４を支持している下ろくろ２０を中棒１０に沿って上動し、上はじき１７に係止することによって親骨１３を張る傘であって、前記下ろくろの上端縁に前記受骨を固定するための支持フランジ２１を一体形成するとともに前記下ろくろの側面に係止孔３１を有する係止突起３０を設ける。前記係止孔に連結具を介してタオルを吊り掛け可能とした傘のタオル吊り掛け構造とする。前記係止突起はリブ状であり、前記支持フランジの先端縁に沿って連設され、下方に延びているとともに前記支持フランジよりも突出していない。【選択図】図２
0003174646.tif 000002
【実用新案登録請求の範囲】
【請求項１】
受骨を支持している下ろくろを中棒に沿って上動し上はじきに係止することによって親骨を張る傘であって、前記下ろくろの上端縁に前記受骨を固定するための支持フランジを一体形成するとともに前記下ろくろの側面に係止孔を有する係止突起を設け、前記係止孔に連結具を介してタオルを吊り掛け可能とした傘のタオル吊り掛け構造において、前記係止突起はリブ状であり、前記支持フランジの先端縁に沿って連設され、下方に延びているとともに前記支持フランジよりも突出していないことを特徴とする傘のタオル吊り掛け構造。
【請求項２】
前記リブ状係止突起の下端部は外側に湾曲しながら前記下ろくろの下端縁に連設されていることを特徴とする請求項１の傘のタオル吊り掛け構造。
【請求項３】
前記リブ状係止突起は前記中棒を中心として前記上はじきの反対側に設置されていることを特徴とする請求項１又は請求項２の傘のタオル吊り掛け構造。
【考案の詳細な説明】
【技術分野】
【０００１】
この考案は傘のタオル吊り掛け構造に関し、ゴルフプレー等において手に負担を掛けずタオルを持ち運ぶ場合に使用されるものである。
【背景技術】
【０００２】
従来におけるこの種の傘のタオル吊り掛け構造は、下ろくろの側面に係止孔を有する係止突起を設けたものであり、使用者はこの係止孔にフックを介してタオルを吊り掛けていた（実開平７−４４０５８号）。
【０００３】
【特許文献１】実開平７−４４０５８号公報
【特許文献２】特開平６−１０６号公報
【考案の開示】
【考案が解決しようとする課題】
【０００４】
しかしながら、かかる従来のタオル吊り掛け構造にあっては、前記係止突起が環状であったため強度的に弱く、タオルを吊り掛けた際に係止突起が折れ易いとともにこの環状の係止突起は下ろくろの側面に突出していたため使用者が下ろくろを掴んで傘の開閉をする際に違和感を受けやすいという不都合を有した。
【０００５】
この考案の課題はこれらの不都合を解消することである。
【課題を解決するための手段】
【０００６】
この課題を達成するために、この考案に係る傘のタオル吊り掛け構造においては、受骨を支持している下ろくろを中棒に沿って上動し上はじきに係止することによって親骨を張る傘であって、前記下ろくろの上端縁に前記受骨を固定するための支持フランジを一体形成するとともに前記下ろくろの側面に係止孔を有する係止突起を設け、前記係止孔に連結具を介してタオルを吊り掛け可能とした傘のタオル吊り掛け構造において、前記係止突起はリブ状であり、前記支持フランジの先端縁に沿って連設され、下方に延びているとともに前記支持フランジよりも突出していないものである。
【０００７】
この場合、前記リブ状係止突起の下端部を外側に湾曲しながら前記下ろくろの下端縁に連設させることもできる。
【０００８】
また、前記リブ状係止突起を、前記中棒を中心として前記上はじきの反対側に設置させることもできる。
【考案の効果】
【０００９】
この考案に係る傘のタオル吊り掛け構造は上記のように構成されているため、即ち、受骨を支持している下ろくろを中棒に沿って上動し上はじきに係止することによって親骨を張る傘であって、前記下ろくろの上端縁に前記受骨を固定するための支持フランジを一体形成するとともに前記下ろくろの側面に係止孔を有する係止突起を設け、前記係止孔に連結具を介してタオルを吊り掛け可能とした傘のタオル吊り掛け構造において、前記係止突起はリブ状であり、前記支持フランジの先端縁に沿って連設され、下方に延びているとともに前記支持フランジよりも突出していないため、係止突起の強度は向上し、且つ、下ろくろの側面における係止突起による突出物を解消することができる。
【００１０】
よって、このタオル吊り掛け構造を使用すれば、タオルを吊り掛けた際に係止突起が折れることは無いとともに使用者が下ろくろを掴んで傘の開放をする際に違和感を受けることは無いものである。
【００１１】
この場合、前記リブ状係止突起の下端部を外側に湾曲しながら前記下ろくろの下端縁に連設させれば、使用者が下ろくろを掴んだ際にこの湾曲部に手が接触するため、違和感はより一層解消されるものである。
【００１２】
また、前記リブ状係止突起を、前記中棒を中心として前記上はじきの反対側に設置させれば、上はじきの操作の際に前記リブ状係止突起が邪魔にならず、下ろくろの係止を解いて傘を窄める作業がしやすいものである。
【考案を実施するための最良の形態】
【００１３】
この考案に係る「傘のタオル吊り掛け構造」は実施するにあたって以下の特徴を有する。
【００１４】
受骨を支持している下ろくろを中棒に沿って上動し上はじきに係止することによって親骨を張る傘に設置される。
【００１５】
前記下ろくろの上端縁に前記受骨を固定するための支持フランジを一体形成する。
【００１６】
また、前記下ろくろの側面に係止孔を有する係止突起が設けられている。この係止孔に連結具を介してタオルを吊り掛けることができる。
【００１７】
前記係止突起はリブ状であり、前記支持フランジの先端縁に沿って連設され、下方に延びているとともに前記支持フランジよりも突出していない。
【００１８】
前記リブ状係止突起の下端部は外側に湾曲しながら前記下ろくろの下端縁に連設されている。
【００１９】
前記リブ状係止突起は前記中棒を中心として前記上はじきの反対側に設置されている。
【実施例１】
【００２０】
以下、図面に基づいてこの考案の実施例を説明する。
【００２１】
図１はこの考案に係る傘のタオル吊り掛け構造の全体斜視図、図２は図１におけるII部拡大図、図３は図２使用されている下ろくろの側面図、図４は同平面図、図５は図３におけるＶ―Ｖ線断面図、図６は図４におけるVI―VI線端面図、図７は同下方視の斜視図、図８は同上方視の斜視図である。
【００２２】
図１において、Ａは傘、１０はその中棒、１１は手元、１２は上ろくろ、１３，１３，…は上ろくろ１２から放射状に延びる親骨である。２０は下ろくろであり、前記中棒１０に沿って上下動する。この下ろくろ２０は受骨１４，１４，…を放射状に支持している。なお、受骨１４，１４，…の先端はダボ１５，１５，…を介して前記親骨１３，１３，…と接合している。１６は傘布、１７は上はじきである。
【００２３】
図２〜図８において、２１は支持フランジであり、前記下ろくろ２０の上端縁に一体形成されている。２２，２２，…は受骨嵌挿溝であり、前記支持フランジ２１の周面に形成されている。この受骨嵌挿溝２２，２２，…は上下方向に延びている。この受骨嵌挿溝２２，２２，…には、前記受骨１４，１４，…の根幹部が侵入し支持される。２３は周溝であり、前記受骨嵌挿溝２２，２２，…を横切る状態で前記支持フランジ２１の周面に形成されている。この周溝２３は水平方向に延び、前記受骨嵌挿溝２２，２２，…よりも浅底である。前記受骨１４，１４，…はこの周溝２３を通過する締め付け針金Ｓによって前記下ろくろ２０に固定される（図５参照のこと）。２４，２４は一対のカバー片であり、前記支持フランジ２１における前記周溝２３の上方に一体形成されている。この一対のカバー片２４，２４によって結び目収容部２６が形成される。この結び目収容部２６には前記締め付け針金Ｓの結び目２５が収容される
【００２４】
３０はリブ状係止突起であり、前記下ろくろ２０の側面に一体形成されている。このリブ状係止突起３０は前記中棒１０を中心として前記上はじき１７の反対側に配置している。また、このリブ状係止突起３０は前記支持フランジ２１の先端縁に沿って連設され、前記支持フランジよりも突出しない状態で下方に延び、その下端部は外側に湾曲しながら前記下ろくろ２０の下端縁に連設されている。
【００２５】
３１は係止孔であり、前記リブ状係止突起３０に係止されている。この係止孔３１は前記リブ状係止突起３０の略中央部に位置している。４０はフックであり、連結金具４１を介して前記係止孔３１に掛け止めされている。このフック４０によってタオルＴは挟持され、吊下げられる。
【産業上の利用可能性】
【００２６】
この考案に係る傘のタオル吊り掛け構造は、係止突起の強度は向上し、且つ、下ろくろの側面における係止突起による突出物を解消することができる。このため、タオルを吊り掛けた際に係止突起が折れることは無いとともに使用者が下ろくろを掴んで傘の開放をする際に違和感を受けることは無い。よって、利用可能性は極めて高いものである。
【図面の簡単な説明】
【００２７】
【図１】図１はこの考案に係る傘のタオル吊り掛け構造の全体斜視図である。
【図２】図２は図１におけるII部拡大図である。
【図３】図３は図２使用されている下ろくろの側面図である。
【図４】図４は同平面図である。
【図５】図５は図３におけるＶ―Ｖ線断面図である。
【図６】図６は図４におけるVI―VI線端面図である。
【図７】図７は同下方視の斜視図である。
【図８】図８は同上方視の斜視図である。
【符号の説明】
【００２８】
Ａ  …  傘
１０  …  中棒
１１  …  手元
１２  …  上ろくろ
１３  …  親骨
１４  …  受骨
１５  …  ダボ
１６  …  傘布
１７  …  上はじき
２０  …  下ろくろ
２１  …  支持フランジ
２２  …  受骨嵌挿溝
２３  …  周溝
２４  …  カバー片
２５  …  締め付け針金の結び目
２６  …結び目収容部  
Ｓ  …  締め付け針金
３０  …  リブ状係止突起
３１  …  係止孔
４０  …  フック
４１  …  連結金具
Ｔ  …  タオル
【図１】
0003174646.tif 000003
【図２】
0003174646.tif 000004
【図３】
0003174646.tif 000005
【図４】
0003174646.tif 000006
【図５】
0003174646.tif 000007
【図６】
0003174646.tif 000008
【図７】
0003174646.tif 000009
【図８】
0003174646.tif 000010